(57)【要約】【課題】  本発明は，１本で広角度に均一な出光を得ることができる導光棒およびそれを用いた照明装置を提供することを目的とする。【解決手段】  本発明の導光棒１０は，略６角柱状をなし，略６角柱の６つの側面が，それぞれ，主出光面１１と，主出光面の両隣に位置する２つの副出光面１２と，主出光面の対面に位置する主反射面１３と，主反射面の両隣に位置する２つの副反射面１４とである導光棒１０であって，主出光面１１が，平滑面であり，副出光面１２が，外側に凸状に湾曲した円弧面であり，主反射面１３に導光棒の長手方向に直交する向きで主反射溝１５が設けられ，副反射面１４に導光棒の長手方向に直交する向きで副反射溝１６が設けられ，主反射溝１５の長さは，副反射溝１６の長さより短く，主反射溝１５の深さは，副反射溝１６の深さより浅い。【選択図】図１
2012119226.tif 000002
【特許請求の範囲】
【請求項１】
略６角柱状をなし，
前記略６角柱の６つの側面が，それぞれ，
主出光面（１１）と，
前記主出光面の両隣に位置する２つの副出光面（１２）と，
前記主出光面の対面に位置する主反射面（１３）と，
前記主反射面の両隣に位置する２つの副反射面（１４）とである導光棒（１０）であって，
前記主出光面（１１）が，平滑面であり，
前記副出光面（１２）が，外側に凸状に湾曲した円弧面であり，
前記主反射面（１３）に導光棒の長手方向に直交する向きで主反射溝（１５）が設けられ，
前記副反射面（１４）に導光棒の長手方向に直交する向きで副反射溝（１６）が設けられ，
前記主反射溝（１５）の長さは，前記副反射溝（１６）の長さより短く，
前記主反射溝（１５）の深さは，前記副反射溝（１６）の深さより浅い
導光棒（１０）。
【請求項２】
前記主反射面（１３）が，内側に凹状に湾曲した面である請求項１に記載の導光棒（１０）。
【請求項３】
前記主出光面（１１）の幅である主出光面幅（ｅ５）の長さは，前記主反射面（１３）の幅である主反射面幅（ｅ６）の長さより短い請求項１に記載の導光棒（１０）。
【請求項４】
請求項１ないし３のいずれかに記載の導光棒（１０）と，前記導光棒の端面に配置された光源（２０）を有する照明装置。
【請求項５】
前記主反射面（１３）および前記副反射面（１４）に隣接して反射板（３０）が配置されている請求項４に記載の照明装置。
【請求項６】
前記反射板（３０）は，曲面又は多面のいずれかで構成されている凹面を有する請求項５に記載の照明装置。
【請求項７】
前記反射板（３０）は，導光棒の端面近傍で前記導光棒（１０）の６つの側面を覆っている請求項５に記載の照明装置。
【請求項８】
主出光面（１１）と，
前記主出光面の対面に位置する主反射面（１３）と，
前記主反射面の両隣に位置する２つの副反射面（１４）を有する導光棒（１０）であって，
前記主出光面（１１）は，前記２つの副反射面と連接する，外側に凸状に湾曲した円弧面であり，
前記主反射面（１３）に導光棒の長手方向に直交する向きで主反射溝（１５）が設けられ，
前記副反射面（１４）に導光棒の長手方向に直交する向きで副反射溝（１６）が設けられ，
前記主反射溝（１５）の長さは，前記副反射溝（１６）の長さより短く，
前記主反射溝（１５）の深さは，前記副反射溝（１６）の深さより浅い
導光棒（１０）。
【発明の詳細な説明】
【技術分野】
【０００１】
本発明は，光の屈折や反射を利用した導光棒およびそれを用いた照明装置に関するものである。
【背景技術】
【０００２】
従来の導光棒およびそれを用いた照明装置は，導光棒１本当たりの出光できる角度が狭かった。そこで，それを補うために導光棒を回転させたり，移動させたりする技術や，多くの導光棒を並べて配置する技術などが知られている（例えば，特許文献１を参照）。しかしながら，いずれも構成部品が増えて，占有面積も増大するという問題があった。
【先行技術文献】
【特許文献】
【０００３】
【特許文献１】特開２００２−３５５３７４号公報
【発明の概要】
【発明が解決しようとする課題】
【０００４】
本発明は，１本で広角度に均一な出光を得ることができる導光棒およびそれを用いた照明装置を提供することを目的とする。
本発明は，簡単な構造で，占有面積も狭くて済む導光棒およびそれを用いた照明装置を提供することを別の目的とする。
本発明は，光の直進性を増大し，光量を増やすことができる導光棒およびそれを用いた照明装置を提供することを別の目的とする。
【課題を解決するための手段】
【０００５】
本発明は，導光棒の形状を略６角柱状とし，出光面を，外側に凸状に湾曲した円弧面と，円弧面に挟まれた平滑面とし，円弧面に光を供給する溝を長く深くし，平滑面に光を供給する溝を短く浅くすることで，広角度に均一な出光を得られるという知見に基づくものである。また，円弧面の端からの出光については，光を重ね合わせることで，光量不足を補うことができるという知見に基づくものである。上記の課題のうち少なくとも一つは，以下の導光棒およびそれを用いた照明装置によって解決される。
【０００６】
本明細書において，主出光面とは，略６角柱状の導光棒の６つの側面のうちの１つであり，被出光面に正対する面を意味する。
本明細書において，副出光面とは，略６角柱状の導光棒の６つの側面のうちの２つであり，主出光面の両隣に位置する面を意味する。
本明細書において，主反射面とは，略６角柱状の導光棒の６つの側面のうちの１つであり，主出光面の対面に位置する面を意味する。
本明細書において，副反射面とは，略６角柱状の導光棒の６つの側面のうちの２つであり，主反射面の両隣に位置する面を意味する。
【０００７】
本明細書において，平滑面とは，０．５μｍ未満の表面粗さ（Ｒｍａｘ）を有する面を意味する。
本明細書において，円弧面とは，円弧が所定の方向に沿って延在することにより形成される凸状の曲面を意味する。
本明細書において，端面とは，導光棒の末端に存在する略６角形状の面を意味する。
本明細書において，反射板とは，光を反射する板であって，導光棒から出光する光の方向を定めるのに寄与するものを意味する。
本明細書において，反射溝とは，光を反射する溝であって，導光棒から出光する光の方向を定めるのに寄与するものを意味する。
本明細書において，反射溝の長さとは，反射溝の底面の長さを意味する。
【０００８】
本発明の一つの側面は，略６角柱状をなし，略６角柱の６つの側面が，それぞれ，主出光面と，主出光面の両隣に位置する２つの副出光面と，主出光面の対面に位置する主反射面と，主反射面の両隣に位置する２つの副反射面とである導光棒である。そして，主出光面が，平滑面であり，副出光面が，外側に凸状に湾曲した円弧面である。また，主反射面に導光棒の長手方向に直交する向きで主反射溝が設けられ，副反射面に導光棒の長手方向に直交する向きで副反射溝が設けられている。そして，主反射溝の長さは，副反射溝の長さより短く，主反射溝の深さは，副反射溝の深さより浅い導光棒である。
先に説明したとおり，多くの導光棒を並べて配置したり，導光棒を移動させたりすることにより広角度に出光する照明装置は知られていた。しかしながら，１本の導光棒で広角度に出光する照明装置は得られなかった。本発明者は，略６角柱状の導光棒を用い，出光面を平滑面と円弧面とし，それぞれに光を供給する溝の長さや深さに差を設けることで，広角度に均一な出光を得られる照明装置を実現できたものである。
本発明の好ましい態様は，主反射面が，内側に凹状に湾曲した面である上記に記載の導光棒である。
本発明の好ましい態様は，主出光面の幅である主出光面幅の長さは，主反射面の幅である主反射面幅の長さより短い上記に記載の導光棒である。
本発明の好ましい態様は，上記のいずれかに記載の導光棒と，導光棒の端面に配置された光源とを有する照明装置である。
本発明の好ましい態様は，主反射面および副反射面に隣接して反射板が配置されている上記に記載の照明装置である。
本発明の好ましい態様は，反射板は，曲面又は多面のいずれかで構成されている凹面を有する上記に記載の照明装置である。
本発明の好ましい態様は，反射板は，導光棒の端面近傍で導光棒の６つの側面を覆っている上記に記載の照明装置である。
【０００９】
また，本発明の他の側面は，主出光面と，主出光面の対面に位置する主反射面と，主反射面の両隣に位置する２つの副反射面１４を有する導光棒１０に関する。主出光面１１は，２つの副反射面と連接する，外側に凸状に湾曲した円弧面である。主反射面１３には，導光棒の長手方向に直交する向きで主反射溝１５が設けられる。副反射面１４には，導光棒の長手方向に直交する向きで副反射溝１６が設けられる。主反射溝１５の長さは，副反射溝１６の長さより短く，主反射溝１５の深さは，副反射溝１６の深さより浅くなっている。
【発明の効果】
【００１０】
本発明によれば，出光面を平滑面と円弧面とし，それぞれの面に光を供給する溝の長さや深さに差を設けることで，１本で広角度に均一な出光を得ることができる導光棒およびそれを用いた照明装置を提供できる。
本発明によれば，多数の導光棒を並べたり，導光棒を移動させたりする必要がなく，簡単な構造で，占有面積も狭くて済む導光棒およびそれを用いた照明装置を提供できる。
本発明によれば，導光棒の端面近傍を反射板で完全に覆うことで，光の直進性を増大し，光量を増やすことができる導光棒およびそれを用いた照明装置を提供できる。
【図面の簡単な説明】
【００１１】
【図１】図１（ａ）は本発明の導光棒の斜視図であり，図１（ｂ）は本発明の導光棒の拡大正面図である。
【図２】図２は，本発明の導光棒の三面図である。
【図３】図３は，本発明の照明装置の三面図である。
【図４】図４は，本発明の照明装置の斜視図である。
【図５】図５は，図３のＡ−Ａ線断面図である。
【図６】図６は，図３のＢ−Ｂ線断面図である。
【図７】図７（ａ）は被出光面への出光角度を示す図３のＡ−Ａ線断面図，図７（ｂ）は光Ｌ２を説明する導光棒の拡大図，図７（ｃ）は光Ｌ３を説明する図７（ａ）の一部拡大図である。
【図８】図８は，本発明の他の形態を説明するための図である。
【発明を実施するための形態】
【００１２】
導光棒
図１および図２を用いて，本発明の導光棒について説明する。
図１（ａ）は本発明の導光棒の斜視図であり，図１（ｂ）は本発明の導光棒の拡大正面図である。図２は本発明の導光棒の三面図である。図において符号１０は本発明の導光棒，符号１１は主出光面，符号１２は主出光面の両隣に位置する２つの副出光面，符号１３は主出光面の対面に位置する主反射面，符号１４は主反射面の両隣に位置する２つの副反射面，符号ｄ１は導光棒長さ，符号ｅ１は導光棒幅，符号ｅ２は導光棒高さ，符号ｅ３は弧の長さ，符号ｅ４は副反射面の角度，符号ｅ５は主出光面幅，符号ｅ６は主反射面幅である。
図１に示すように，導光棒１０の形状は略６角柱状である。ここで略６角柱状とは，略６角形が厚みを持ち，２枚の略６角形の間に４角形または円弧面を立たせた立体状であることを意味する。そして，略６角形とは，辺および円弧で囲まれた平面図形であって，辺および円弧の数が６であるものを意味する。
また，略６角柱状の屋根と底にあたる２つの略６角形を端面，周りの６つの４角形または円弧面を側面という。
また，６つの側面が，主出光面１１と，主出光面の両隣に位置する２つの副出光面１２と，主出光面の対面に位置する主反射面１３と，主反射面の両隣に位置する２つの副反射面１４とである。
導光棒１０は，形状が略６角柱状であることで，略６角柱の６つの側面を，光を反射する連続する３面と光を出光する連続する３面とに分け，それぞれに異なる調整を加えることができる。また，６角柱状は，円柱状に比して転がりにくく４角柱状に比して握りやすいので取り扱いしやすい。
【００１３】
また，主出光面１１が平滑面であり，副出光面１２が外側に凸状に湾曲した円弧面である。
これにより，出光する光を主出光面１１から出る光と，副出光面１２から出る光とに分けることができる。そして，主出光面１１からの光量と副出光面１２からの光量とを個別に調整できるので，全体として均一な出光をするように調整することが容易になる。また，副出光面１２から出る光を屈折により拡散させることで，広角度の出光が可能になり，円弧面の径や形状を調整することで出光角度の調整もできる。なお，主反射面１３を内側に凹状に湾曲した面とすることもできる。これにより，凹面の形状を調整することで光量を制御することもできる。また，凹面を２つの面で構成することで，導光棒を変形の略７角柱状とすることもできる。さらに凹面を多数の面で構成することで，略８角柱状や略９角柱状などにすることも可能である。
【００１４】
また，主反射面１３に導光棒１０の長手方向に直交する向きで主反射溝１５が設けられ，副反射面１４に導光棒１０の長手方向に直交する向きで副反射溝１６が設けられている。
図２に示すように，光を反射する連続する３面，すなわち，主反射面１３および副反射面１４には，主反射面１３に導光棒１０の長手方向に直交する向きで主反射溝１５が連続的に設けられ，副反射面１４に導光棒１０の長手方向に直交する向きで副反射溝１６が連続的に設けられている。主反射溝１５および副反射溝１６は，導光棒の側面から観察すると一連の溝として観察される。これにより，光源の光は連続性のある状態で出光される。その結果，光量のムラの少ない出光ができる。
【００１５】
また，主反射溝１５の長さは，副反射溝１６の長さより短い。主反射溝１５の長さは，副反射溝１６の長さの０．５倍以上０．９倍以下が好ましい。
また，主反射溝１５の深さは，副反射溝１６の深さより浅い。主反射溝１５の深さは，副反射溝１６の深さの０．１倍以上０．９倍以下が好ましい。
主出光面１１から出光される光は拡散されないので，副出光面１２から出光される拡散された光より光量が多くなる傾向がある。そのため，均一な出光をするためには，主出光面１１からの光量を減じて副出光面１２からの光量に合わせる必要がある。
主反射溝１５の長さは，副反射溝１６の長さの０．５倍以上０．９倍以下である。０．５倍未満であると副出光面１２からの光量に比して主出光面１１からの光量が不足するおそれがあり，０．９倍を超えると副出光面１２からの光量に比して主出光面１１からの光量が過剰になるおそれがあるからである。また，主反射溝１５の長さは，主反射面幅ｅ６の１／３以上２／３以下であることが好ましい。
副反射溝１６は，副反射面１４の短辺一杯に設けられていることが好ましい。すなわち，副反射溝１６の側面が主反射面１３および副出光面１２に現れるように，副反射溝１６を設けることが好ましい。副出光面１２からの光量をできるだけ多くして，主出光面１１からの光量との差を小さくするためである。
【００１６】
主反射溝１５の深さは，副反射溝１６の深さの０．１倍以上０．９倍以下である。０．１倍未満であると副出光面１２からの光量に比して主出光面１１からの光量が不足するおそれがあり，０．９倍を超えると副出光面１２からの光量に比して主出光面１１からの光量が過剰になるおそれがあるからである。また，主反射溝１５および副反射溝１６の深さは，導光棒高さｅ２の０．２倍以下が好ましい。主反射溝１５および副反射溝１６の深さが導光棒高さｅ２の０．２倍を超えると導光棒１０の強度を損なうおそれがあるからである。
主反射溝１５の底面は，平面でもよいし，主出光面１１側に突出する湾曲面であってもよい。副反射溝１６の底面も平面でもよいし，副出光面１２側に突出する湾曲面であってもよい。長尺の導光棒を使用する場合は，反射溝の底面を平面とすることが好ましい。反射溝の底面を平面とすることは，成形する作業を容易にすることができるからである。
【００１７】
反射溝の底面には，鏡面反射処理を施していることが好ましい。鏡面反射処理は，公知の方法を採用することができる。このような鏡面反射処理を施すことにより，反射溝によって無駄なく光を反射することができる。
【００１８】
導光棒１０は，その全長に亘って太さが均一であることが好ましい。全長に亘って太さが均一であることで，長手方向に均一な出光ができるからである。また，後述の反射板を用いる場合には，反射板の長手方向に均一な溝を設けておくことで，導光棒の着脱が容易にできるという利点を得られる。
【００１９】
導光棒１０の大きさは，必要とされる出光範囲，光量等を考慮して決定することができる。導光棒長さｄ１は，光源の光の強さにもよるが，１０ｍｍ以上１０００ｍｍ以下が好ましい。導光棒幅ｅ１は１０ｍｍ以上２００ｍｍ以下が好ましく，導光棒高さｅ２は１０ｍｍ以上２００ｍｍ以下が好ましく，弧の長さｅ３は５ｍｍ以上２００ｍｍ以下，副反射面の角度ｅ４は２０°以上８０°以下，主出光面幅ｅ５は５ｍｍ以上１００ｍｍ以下，主反射面幅ｅ６は５ｍｍ以上１５０ｍｍ以下が好ましい。より具体的には，導光棒長さｄ１が２００ｍｍ以上８００ｍｍ以下，導光棒幅ｅ１が２０ｍｍ以上４０ｍｍ以下，導光棒高さｅ２が２０ｍｍ以上４０ｍｍ以下，弧の長さｅ３が１０ｍｍ以上３０ｍｍ以下，副反射面の角度ｅ４が４５°以上７５°以下，主出光面幅ｅ５が１０ｍｍ以上２０ｍｍ以下，主反射面幅ｅ６が１０ｍｍ以上３０ｍｍ以下であれば，照明装置用として取り扱いしやすく好適である。導光棒は型成形，切削などにより成形できる。副反射面の角度ｅ４を狭くすれば出光角度が狭くなり光量は多くなる。また，副反射面の角度ｅ４を広くすれば出光角度が広くなり光量は少なくなる。このように，副反射面の角度ｅ４を調整することで，出光角度および光量が調整される。
【００２０】
主出光面幅ｅ５の長さは，主反射面幅ｅ６の長さより短いことが好ましい。主出光面幅ｅ５の長さは，主反射面幅ｅ６の長さの０．５倍以上０．９倍以下であることが好ましい。これにより，主反射面１３からの光の一部を，副出光面１２から出光することができる。０．５倍未満だと主出光面１１からの光量が不足するおそれがあり，０．９倍以上だと副出光面１２からの光量が不足するおそれがある。
副出光面１２からの出光は，副出光面１２が円弧面であることにより，円弧面の中央からの光量がもっとも多く，円弧面の端になるほど円弧面によって拡散されて光量が少なくなる。主反射面１３からの光の一部を，副出光面１２から出光することで，副出光面１２の主出光面１１よりの端からの出光について光量不足を補うことができる。
【００２１】
導光棒１０の端面は，後述の光源を対向させることで，光が入射する入射部となる。入射部は通常平滑面であるが，凸面または凹面としてもよい。入射部を凹面とすれば光源を覆うことができ，入射効率を高めることができる。
本発明の導光棒１０の材質は，光透過性材料であれば特に限定されず，例えばアクリル樹脂，ポリカーボネート樹脂，ポリエチレンテレフタレート，シリコーン樹脂，エポキシ樹脂等の合成樹脂や，ガラス等の無機材料を挙げることができる。その中でもアクリル樹脂は導光作用が高く，成形や取扱が容易で好ましい。また，複数の材料を組み合わせて導光棒を形成してもよい。
【００２２】
導光棒１０は，無色透明のものだけでなく，着色したものを使用することもできる。また，主出光面１１および副出光面１２に色変換層を設けてもよい。さらに，主出光面１１および副出光面１２の全体ではなく，その一部に色変換層を設けることにしてもよい。これらの方法により，光源本来の色と異なる色の光を放出させることが可能となる。なお，色変換層は，例えば，有色の透光性インクの塗布，有色の透光性フィルムの貼付，有色の透光性樹脂層の形成などにより形成することができる。
【００２３】
光源
本発明に用いられる光源の種類は特に限定されないが，ＬＥＤであることが好ましい。ＬＥＤは，小型で，振動や衝撃に強く，かつ，視光角が狭いとう利点を有するからである。ＬＥＤのタイプも特に限定されず，砲弾型，ＳＭＤ（Ｓｕｒｆａｃｅ  Ｍｏｕｎｔ  Ｄｅｖｉｃｅ）型等，種々のものを採用できる。ＬＥＤの色も特に限定されず，白色，青色，赤色，緑色など所望の色のＬＥＤを使用できる。また，複数のＬＥＤを使用してもよい。
【００２４】
照明装置
図３から図７を用いて，照明装置を説明する。
図３は本発明の照明装置の三面図であり，図４は本発明の照明装置の斜視図であり，図５は図３のＡ−Ａ線断面図，図６は図３のＢ−Ｂ線断面図，図７（ａ）は被出光面への出光角度を示す図３のＡ−Ａ線断面図，図７（ｂ）は光Ｌ２を説明する導光棒の拡大図，図７（ｃ）は光Ｌ３を説明する（ａ）の一部拡大図である。図において符号２０はＬＥＤなどの光源，符号２１はＬＥＤ基板などの光源基板，符号３０は反射板，符号３１は凹面，符号４０は被出光面，符号ａ１は出光長さ，符号ａ２は反射板長さ，符号ｂ１は反射板幅，符号ｃ１は反射板高さ，符号ｆ１は出光角度，符号Ｌ１は主出光面１１からの光，符号Ｌ２は副出光面１２の主出光面１１よりの端からの光，符号Ｌ３は副出光面１２の副反射面１４よりの端からの光である。
本発明の照明装置は，導光棒１０と，導光棒の端面に配置された光源２０とを有する。
光源２０は，導光棒１０の一端面に配置してもよいし，両端面に配置してもよいが，充分な光量を得るために両端面に配置することが好ましい。両端面に配置した場合，一方の光源と他方の光源とは同種の光源であってもよいし，異種の光源であっても良い。
光源２０の光が導光棒１０の端面である入射部から入射し，主反射溝１５および副反射溝１６で反射して，主出光面１１および副出光面１２から出光する。
【００２５】
本発明の照明装置は，主反射面１３および副反射面１４に隣接して反射板３０が配置されていてもよい。反射板３０が配置されている場合，主反射面１３および副反射面１４から出光しようとする光を反射して主出光面１１および副出光面１２から出光する光とし，主出光面１１および副出光面１２からの光量を多くできる利点がある。ただし，反射板３０のコストが掛かり，照明装置が大きくなってしまう。反射板３０が配置されていない場合，反射板のコストを低減できる，照明装置全体を小さくできる，取り付けの自由度を増すことができるなどの利点がある。ただし，反射板３０が配置されている場合に比して光量は少なくなる。
【００２６】
図３に示すように，反射板３０は，導光棒１０よりある程度大きいものを用いることが好ましい。出光長さａ１は導光棒長さｄ１の０．８倍以上１倍以下，反射板長さａ２は導光棒長さｄ１の１倍以上１．２倍以下，反射板幅ｂ１は導光棒幅ｅ１の２倍以上１０倍以下，反射板高さｃ１は導光棒高さｅ２の１倍以上５倍以下が好ましい。主反射面１３および副反射面１４を覆うことで，主出光面１１および副出光面１２からの光量を多くすることができる。
【００２７】
図４および図５に示すように，反射板３０は，主反射面１３および副反射面１４を覆うとともに，導光棒１０から離れるにしたがって高さを増し，導光棒１０を中央とした左右対称の凹面３１を形成することが好ましい。凹面３１は，曲面又は多面のいずれかで構成されていることが好ましい。曲面又は多面で構成される凹面３１を有することにより，副出光面１２の副反射面１４よりの端からの出光について，反射板３０からの光を重ねることで光量不足を補うことができる。また，凹面３１を有することにより，出光角度を精密に調整することができ，所望の範囲に光量を集中させることができる。
【００２８】
図５および図６に示すように，反射板３０は，導光棒１０の端面近傍で導光棒１０の６つの側面を全て覆っていることが好ましい。これにより，導光棒１０内の光の直進性を向上させることができ，主出光面１１および副出光面１２から出光する光量を増加させることができる。また，光源２０から，導光棒１０を透過しない光が漏れることがなくなり，均一な出光を得やすくなる。
【００２９】
図７（ａ）に示すように，本発明の照明装置によれば，所望の出光角度ｆ１について，被出光面４０に均一な出光を得ることができる。
主出光面１１からの光Ｌ１は，主反射溝１５の長さを短くしたり，深さを浅くしたりすることで，光量を少なくしている。
副出光面１２の主出光面１１よりの端からの光Ｌ２は，図７（ｂ）に示すように，主反射面１３からの光および副反射面１４からの光を合わせることで，光量を多くしている。
副出光面１２の副反射面１４よりの端からの光Ｌ３は，図７（ｃ）に示すように，副出光面１２からの光と反射板３０からの光を合わせることで，光量を多くしている。
以上により，光量を調整して，被出光面４０に均一な出光を得ることができる。
【００３０】
また，図８を用いて，本発明の他の実施形態について説明する。なお，上述した実施形態と同一の箇所については説明を省略し，主として，上述した実施形態とは異なる箇所について説明する。図８は，本発明の他の形態に係る導光棒の断面図である。
【００３１】
図８に示すように，導光棒１０の主出光面１１の断面は，略半円形であり，外側に凸状に湾曲した円弧面となっている。そして，主出光面１１は，副反射溝１６が設けられた２つの副反射面１４に連接する。すなわち，上述した実施形態と異なり，導光棒の断面は，略六角形状ではない。
【００３２】
各副反射面１４は，上述した形態と同様に，主出光面１１の対面に位置する主反射面１３の横手方向両隣に位置する。また，上述した形態と同様に，各副反射面１４には，副反射溝１６が形成され，主反射面１３には，主反射溝１５が形成されている。
【００３３】
ここで，主反射面１３と副反射面１４のなす角度は，５°以上２０°以下であることが好ましい。特に，主反射面１３と副反射面１４のなす角度は８°以上１２°以下であることが好ましい。本発明の他の実施形態においては，主反射面１３と副反射面１４のなす角度が広く保たれるため，光角度も広くなる。
【００３４】
このように，本発明の他の実施形態においては，主出光面１４が広く確保されているため，導光棒全体として均一な出光をすることができる。また，副出光面１２から出る光を屈折により拡散させることで，広角度の出光が可能となる。
【００３５】
以下，実施例に基づき本発明をより詳細に説明する。
【実施例１】
【００３６】
実施例１の照明装置は，図３から図７に示した照明装置である。
導光棒１０は，無色透明のアクリル樹脂を切削加工により略６角柱状としたものを用いた。導光棒長さｄ１を３４０ｍｍ，導光棒幅ｅ１を８ｍｍ，導光棒高さｅ２を６．６ｍｍ，弧の長さｅ３を４．４ｍｍ，副反射面の角度ｅ４を６０度，出光面幅ｅ５を６ｍｍ，主反射面幅ｅ６を６．４ｍｍとした。主出光面１１は平滑面，副出光面１２は円弧面，主反射面１３および副反射面１４は平滑面である。導光棒１０の端面は平滑面とした。
【００３７】
主反射溝１５は，切削により主反射面１３の両端から２０ｍｍの範囲を除いた３００ｍｍの範囲に０．８ｍｍ毎に設けた。主反射溝１５の深さは０．５ｍｍ，主反射溝１５の幅は０．１ｍｍとした。主反射溝１５の底面は平面とした。
【００３８】
副反射溝１６は，切削により副反射面１４の両端から２０ｍｍの範囲を除いた３００ｍｍの範囲に０．８ｍｍ毎に設けた。副反射溝１６の深さは０．４５ｍｍ，副反射溝１６の幅は０．１ｍｍとした。副反射溝１６の底面は平面とした。
【００３９】
光源２０は，ＳＭＤ型の白色ＬＥＤを用いた。図６に示すように，導光棒１０の端面から１ｍｍ離れるように配置した。なお，光源２０は導光棒１０の両端に配置した。
反射板３０は，蛍光灯用の反射板を用いた。反射板長さａ２は３４８．８ｍｍ，反射板幅ｂ１は４９ｍｍ，反射板高さｃ１は１１．３ｍｍであった。この反射板３０を，図５に示すように，主反射面１３および副反射面１４に隣接して配置した。反射板３０は，アルミ板を４面並べた凹面３１を有し，出光角度ｆ１が１２０°となるものであった。
また，図６に示すように，反射板３０は，導光棒１０の端面から５０ｍｍの範囲で導光棒１０の６つの側面を全て覆っている。
以上のようにして，実施例１の照明装置を製造した。
【００４０】
図７（ａ）に示すように，導光棒１０から５００ｍｍ離れた位置に被出光面を配置した。
出光角度１２０°内に等間隔に照度計を７つ配置し，照度を測定した。
そして，平均値を算出し，照度平均値とした。
また，照度の最大値と最小値の差を算出し，照度差とした。
実施例１の照明装置では，照度平均値は２３８（ｌｘ），照度差は２．１（ｌｘ）であった。
【００４１】
［比較例１］
導光棒１０として，無色透明のアクリル樹脂を型成形により円柱状としたものを用いた。導光棒長さｄ１を５００ｍｍ，導光棒幅ｅ１を３０ｍｍ，導光棒高さｅ２を３０ｍｍであった。
【００４２】
反射溝は，切削により導光棒１０の両端から５０ｍｍの範囲を除いた４００ｍｍの範囲に１ｍｍ毎に半円状に設けた。反射溝の幅は０．１ｍｍ，反射溝の深さは０．１５ｍｍとした。
【００４３】
その他は実施例１と同様にして，比較例１の照明装置を製造した。
また，実施例１と同様にして，照度を測定した。
比較例１の照明装置では，照度平均値は２１２（ｌｘ），照度差は２５（ｌｘ）であった。
【００４４】
上記の結果から明らかなように，本発明の導光棒およびそれを用いた照明装置によれば，広角度に均一な出光を得ることができる。
また，多数の導光棒を並べたり，導光棒を移動させたりする必要がなく，簡単な構造で，占有面積も狭くて済む。
さらに，導光棒の端面近傍を反射板で完全に覆うことで，光の直進性を増大し，光量を増やすことができる。
【産業上の利用可能性】
【００４５】
本発明の導光棒およびそれを用いた照明装置は，様々な構成に使用することができ，例えば，室内のインテリア，車内のルームライト，足元灯，液晶バックパネル，遊戯盤の電飾装置などに利用することができる。
【符号の説明】
【００４６】
１０  導光棒
１１  主出光面
１２  副出光面
１３  主反射面
１４  副反射面
２０  光源
２１  光源基板
３０  反射板
３１  凹面
４０  被出光面
ａ１  出光長さ
ａ２  反射板長さ
ｂ１  反射板幅
ｃ１  反射板高さ
ｄ１  導光棒長さ
ｅ１  導光棒幅
ｅ２  導光棒高さ
ｅ３  弧の長さ
ｅ４  副反射面の角度
ｅ５  主出光面幅
ｅ６  主反射面幅
ｆ１  出光角度
Ｌ１  主出光面からの光
Ｌ２  副出光面の主出光面よりの端からの光
Ｌ３  副出光面の副反射面よりの端からの光
【図１】
2012119226.tif 000003
【図２】
2012119226.tif 000004
【図３】
2012119226.tif 000005
【図４】
2012119226.tif 000006
【図５】
2012119226.tif 000007
【図６】
2012119226.tif 000008
【図７】
2012119226.tif 000009
【図８】
2012119226.tif 000010